(57)【要約】【課題】単一の形式の行列ファイルを用いた簡易な構造の入力形式でＷｅｂページ構成情報を作成することができる管理サーバを提供する。【解決手段】管理サーバ１０は、画像ファイル、及び、行と列のそれぞれのセルに複数のデータが入力されている行列ファイル２０がアップロードされた場合にそれらを記憶する記憶部１１と、アップロードされた画像ファイルを特定する画像特定コマンドを、表示する表示部１２と、を有し、行列ファイルの少なくとも１つのセルに、画像特定コマンドが入力されていた場合に、画像ファイルの画像をＷｅｂページの所定の場所に表示するためのＷｅｂページ構成情報を作成する。【選択図】図１
2017010282.tif 000002
【特許請求の範囲】
【請求項１】
画像ファイル、及び、行と列のそれぞれのセルに複数のデータが入力されている行列ファイルがアップロードされた場合にそれらを記憶する記憶部と、
アップロードされた画像ファイルを特定する画像特定コマンドを、表示する表示部と、
を有し、
前記行列ファイルの少なくとも１つのセルに、前記画像特定コマンドが入力されていた場合に、
画像ファイルの画像をＷｅｂページの所定の場所に表示するためのＷｅｂページ構成情報を作成する
管理サーバ。
【請求項２】
前記画像特定コマンドが入力されている前記行列ファイルのセル内に、前記画像特定コマンドの他に文字データも入力されていた場合に、
前記Ｗｅｂページに、アップロードされている前記画像ファイルの画像に加え前記文字データの内容を所定の位置に表示するためのＷｅｂページ構成情報を作成する
請求項１に記載の管理サーバ。
【請求項３】
前記画像ファイルの画像及び前記文字データの内容の表示である画像文字表示が表示されるＷｅｂページ内の位置は、前記記憶部が事前に記憶しており、
前記画像文字表示のレイアウトの複数のバリエーションは、前記記憶部が事前に記憶しており、
前記行列ファイルは、前記画像文字表示のセルと同一の行又は列内に、前記画像文字表示の表示形式を所定の複数の形式の中から選択する形式指定データを記載するための形式指定セルを有し、
前記形式指定セルに、前記形式指定データの指定に応じて、選択された形式で前記画像文字表示を行うためのＷｅｂページ構成情報を作成する
請求項２に記載の管理サーバ。
【請求項４】
前記記憶部は、表計算ソフトによって作成された表形式の表データがアップロードされた場合にそれを記憶し、
前記表示部は、アップロードされた表ファイルを特定する表特定コマンドを表示し、
前記行列ファイルの少なくとも１つのセルに、前記表特定コマンドが入力されていた場合に、
表データの表示をＷｅｂページの所定の場所に表示するためのＷｅｂページ構成情報を作成する
請求項１〜３いずれか１項に記載の管理サーバ。
【請求項５】
前記管理サーバとは別に、インターネット上からアクセス可能な公開サーバを有し、
前記管理サーバは、ユーザから所定の入力があった場合に前記管理サーバのＷｅｂページ構成情報を、前記公開サーバの記憶部にコピーする
請求項１〜４に記載の管理サーバ。
【請求項６】
行と列のそれぞれのセルに複数のデータが入力されている行列ファイルがアップロードされた場合にそれを記憶する記憶部を有し、
前記行列ファイルの少なくとも１つのセルに、文字データが入力されていた場合に、
前記文字データの文字内容をＷｅｂページの所定の場所に表示するためのＷｅｂページ構成情報を作成する
管理サーバ。
【発明の詳細な説明】
【技術分野】
【０００１】
本発明は、管理サーバに関し、特にＷｅｂページを公開するための構成情報（Ｗｅｂページ構成情報）を作成する管理サーバに関する。
【背景技術】
【０００２】
特許文献１には、一般ユーザが専用言語などを用いることなく、ホームページを作成することができるホームページ作成方法およびホームページ作成システムが開示されている。
【先行技術文献】
【特許文献】
【０００３】
【特許文献１】特開２０１４−１５７４４１号公報
【発明の概要】
【発明が解決しようとする課題】
【０００４】
しかしながら、特許文献１に記載の方法においては、まず、ユーザがホームページのテンプレートを選択する必要があり、その選択されたテンプレートに対してデータテーブルが生成されるものであり、それぞれのテンプレートで対応するデータテーブルの形式が異なり入力が複雑であるという不利益がある。
【０００５】
本発明は、単一の形式の行列ファイルを用いた簡易な構造の入力形式でＷｅｂページ構成情報を作成することができる管理サーバを提供することである。
【課題を解決するための手段】
【０００６】
本発明の管理サーバは、画像ファイル、及び、行と列のそれぞれのセルに複数のデータが入力されている行列ファイルがアップロードされた場合にそれらを記憶する記憶部と、アップロードされた画像ファイルを特定する画像特定コマンドを、表示する表示部と、を有し、行列ファイルの少なくとも１つのセルに、画像特定コマンドが入力されていた場合に、画像ファイルの画像をＷｅｂページの所定の場所に表示するためのＷｅｂページ構成情報を作成する。
【０００７】
好適には、管理サーバは、画像特定コマンドが入力されている行列ファイルのセル内に、画像特定コマンドの他に文字データも入力されていた場合に、Ｗｅｂページに、アップロードされている画像ファイルの画像に加え文字データの内容を所定の位置に表示するためのＷｅｂページ構成情報を作成する。
【０００８】
好適には、管理サーバは、画像ファイルの画像及び文字データの内容の表示である画像文字表示が表示されるＷｅｂページ内の位置は、記憶部が事前に記憶しており、画像文字表示のレイアウトの複数のバリエーションは、記憶部が事前に記憶しており、行列ファイルは、画像文字表示のセルと同一の行又は列内に、画像文字表示の表示形式を所定の複数の形式の中から選択する形式指定データを記載するための形式指定セルを有し、形式指定セルに、形式指定データの指定に応じて、選択された形式で画像文字表示を行うためのＷｅｂページ構成情報を作成する。
【０００９】
好適には、管理サーバは、記憶部が、表計算ソフトによって作成された表形式の表データがアップロードされた場合にそれを記憶し、表示部は、アップロードされた表ファイルを特定する表特定コマンドを表示し、行列ファイルの少なくとも１つのセルに、表特定コマンドが入力されていた場合に、表データの表示をＷｅｂページの所定の場所に表示するためのＷｅｂページ構成情報を作成する。
【００１０】
好適には、管理サーバとは別に、インターネット上からアクセス可能な公開サーバを有し、管理サーバは、ユーザから所定の入力があった場合に管理サーバのＷｅｂページ構成情報を、公開サーバの記憶部にコピーする。
【００１１】
好適には、管理サーバは、行と列のそれぞれのセルに複数のデータが入力されている行列ファイルがアップロードされた場合にそれを記憶する記憶部を有し、行列ファイルの少なくとも１つのセルに、文字データが入力されていた場合に、文字データの文字内容をＷｅｂページの所定の場所に表示するためのＷｅｂページ構成情報を作成する。
【発明の効果】
【００１２】
本発明によれば、単一の形式の行列ファイルを用いた簡易な構造の入力形式でＷｅｂページ構成情報を作成することができる管理サーバを提供することが可能となった。
【図面の簡単な説明】
【００１３】
【図１】本発明の本実施形態に係る管理サーバを示す説明図である。
【図２】本発明の本実施形態に係る管理サーバの動作を示すフローチャートである。
【図３】本発明の本実施形態に係る管理サーバで使用する行列ファイルを示す図である。
【図４】本発明の本実施形態に係る管理サーバにより作成されるＷｅｂページの表示例である。
【図５】本発明の本実施形態に係る管理サーバによりＷｅｂページを作成するときの画像ファイルを入力するときの入力画面を示す図である。
【図６】本発明の本実施形態に係る管理サーバによりＷｅｂページを作成するときの表ファイルを入力するときの入力画面を示す図である。
【図７】本発明の本実施形態に係る管理サーバによりＷｅｂページを作成するときの行列ファイルをアップロードするときの入力画面を示す図である。
【発明を実施するための形態】
【００１４】
以下、本発明の実施形態を、図１〜図７を用いて詳細に説明する。
【００１５】
図１は、本発明の本実施形態に係る管理サーバを示す説明図である。図１に示すように、本発明に係る管理サーバ１０は、記憶部１１と表示部１２とＷｅｂページ構成情報作成部１３から構成されている。
【００１６】
管理サーバ１０は、ユーザ端末１４と公開サーバ１５とネットワーク１６を介して接続されている。
【００１７】
記憶部１１は、画像ファイル、及び、行と列のそれぞれのセルに複数のデータが入力されている行列ファイルがアップロードされた場合にそれらを記憶する。
【００１８】
また、記憶部１１は、表計算ソフトによって作成された表形式の表データがアップロードされた場合にそれを記憶する。
【００１９】
さらに、記憶部１１は、行と列のそれぞれのセルに複数のデータが入力されている行列ファイルがアップロードされた場合にそれを記憶する。
【００２０】
また、記憶部１１は、画像ファイルの画像及び文字データの内容の表示である画像文字表示が表示されるＷｅｂページ内の位置を、事前に記憶しており、画像文字表示のレイアウトの複数のバリエーションを、事前に記憶している。
【００２１】
表示部１２は、アップロードされた画像ファイルを特定する画像特定コマンドを、表示する。
【００２２】
また、表示部１２は、アップロードされた表ファイルを特定する表特定コマンドを表示する。
【００２３】
Ｗｅｂページ構成情報作成部１３は、行列ファイルの少なくとも１つのセルに、画像特定コマンドが入力されていた場合に、画像ファイルの画像をＷｅｂページの所定の場所に表示するためのＷｅｂページ構成情報を作成する。
【００２４】
また、Ｗｅｂページ構成情報作成部１３は、画像特定コマンドが入力されている行列ファイルのセル内に、画像特定コマンドの他に文字データも入力されていた場合に、Ｗｅｂページに、アップロードされている画像ファイルの画像に加え文字データの内容を所定の位置に表示するためのＷｅｂページ構成情報を作成する。
【００２５】
さらに、Ｗｅｂページ構成情報作成部１３は、行列ファイルが、画像文字表示のセルと同一の行又は列内に、画像文字表示の表示形式を所定の複数の形式の中から選択する形式指定データを記載するための形式指定セルを有し、形式指定セルに、形式指定データの指定に応じて、選択された形式で画像文字表示を行うＷｅｂページ構成情報を作成する。
【００２６】
また、Ｗｅｂページ構成情報作成部１３は、行列ファイルの少なくとも１つのセルに、表特定コマンドが入力されていた場合に、表データの表示がＷｅｂページの所定の場所に表示するためのＷｅｂページ構成情報を作成する。
【００２７】
さらに、Ｗｅｂページ構成情報作成部１３は、行列ファイルの少なくとも１つのセルに、文字データが入力されていた場合に、文字データの文字内容をＷｅｂページの所定の場所に表示するためのＷｅｂページ構成情報を作成する。
【００２８】
Ｗｅｂページ構成情報を作成するユーザは、ユーザ端末１４から、ネットワーク１６を介して管理サーバ１０にアクセスし、ログインすることにより、Ｗｅｂページ構成情報の作成を行う。
【００２９】
そして、管理サーバ１０とは別に、インターネット上からアクセス可能な公開サーバ１５を有しており、管理サーバ１０は、ユーザ端末１４から所定の入力があった場合に管理サーバ１０のＷｅｂページ構成情報を、公開サーバ１５の記憶部１７にコピーする。公開サーバ１５は、処理部１８により、記憶部１７にコピーされたＷｅｂページ構成情報に基づいてＷｅｂページとして公開する。
【００３０】
なお、図１に示す例では、ユーザ端末１４から管理サーバ１０にアクセスして、Ｗｅｂページ構成情報を作成する構成になっているが、管理サーバ１０のＷｅｂページ構成情報作成部１３の機能を持つアプリケーションなどを、ユーザ端末１４側にインストールして、Ｗｅｂページ構成情報を作成するようにすることも可能である。
【００３１】
次に、図２および図３により、本発明の本実施形態に係る管理サーバの動作について説明する。図２は本発明の本実施形態に係る管理サーバの動作を示すフローチャート、図３は本発明の本実施形態に係る管理サーバで使用する行列ファイルの一例を示す図である。
【００３２】
まず、ユーザは、ユーザ端末１４上で、図３に示される行列ファイル２０を作成する（ステップＳ１０）。
【００３３】
行列ファイル２０は、タイトルを入れるライン２１、テンプレートモジュールを入れるライン２２、画像またはテキストを入れるライン２３から構成されている。
【００３４】
テンプレートモジュールを入れるライン２２は、例えば、カタログ、お勧め新製品情報、動画ニュース、マガジン、ライブラリー、用語集、アルバム、評価、メンバー紹介、コレクション、ハウツー、会話表現データベース、およびＥラーニングなどのＷｅｂページの種々のテンプレートに対応したＷｅｂページを作成するためのプログラムであるテンプレートモジュールのテンプレートモジュール名を入力するためのラインである。
【００３５】
テンプレートモジュールは、画像ファイルの画像及び文字データの内容の表示である画像文字表示が表示されるＷｅｂページ内の位置を指定し、画像文字表示のレイアウトを指定するプログラムである。テンプレートモジュールは、複数のバリエーションを備えており、それぞれのテンプレートモジュールに対してテンプレートモジュール名とそれらのプログラムが記憶部１１に事前に記憶されている。
【００３６】
画像またはテキストを入れるライン２３は、画像ファイルデータと、画像ファイルを特定するための画像特定コマンドと、文字データと、表計算ソフトによって作成された表形式の表データと、表ファイルを特定する表特定コマンドを入力するためのラインである。
【００３７】
次に、ユーザはユーザ端末１４から、ネットワーク１６を介して管理サーバ１０にアクセスし、管理サーバ１０の図示しない認証処理部により認証され、ログインする（ステップＳ１１）。
【００３８】
ユーザが行列ファイル２０の作成を行った後、ユーザは、行列ファイル２０を管理サーバ１０にアップロードする（ステップＳ１２）。それにより、管理サーバ１０は、行列ファイル２０を記憶部１１に記憶する。
【００３９】
次に、管理サーバ１０は、Ｗｅｂページ構成情報作成部１３によって、記憶された行列ファイル２０に従ってＷｅｂページ構成情報を作成する（ステップＳ１３）。
【００４０】
次に、管理サーバ１０は、ユーザから所定の入力があったか否か判断し（ステップＳ１４）、所定の入力がないときは、実行を終了し、所定の入力があった場合は、Ｗｅｂページ構成情報を公開サーバ１５の記憶部１７にコピーし（ステップＳ１５）、実行を終了する。
【００４１】
図４は、上記のようにして作成されたＷｅｂページの一例を示す図である。Ｗｅｂページの領域２４に画像が貼り付けられ、領域２５，２６，２７に文字や表が形成される。
【００４２】
このように、本実施形態では、行列ファイルに２０に画像ファイルデータと画像特定コマンドと文字データと表データと表特定コマンドとテンプレートモジュール名を挿入することで、一般ユーザが専用言語などを用いることなく、容易にＷｅｂページ構成情報を作成することができる。
【００４３】
また、Ｗｅｂページ構成情報の内容を修正する場合も、行列ファイル２０を修正し、修正した行列ファイル２０を、管理サーバ１０に送信、あるいはオンラインエディタで編集し保存することで容易にＷｅｂページファイルの修正を行うことができる。
【００４４】
次に上記構成の本発明の本実施形態に係る管理サーバ１０でのＷｅｂページ構成情報作成の具体例を図５〜図７を用いて説明する。
【００４５】
図５〜図７は、ユーザ端末１４での入力画面の一例である。入力画面３０は、ファイルを管理サーバ１０にアップロードするための入力ボックス３１と、行列ファイルのファイル名を表示するためのバックアップボタン３２と、画像ファイルを入力するときの画像ボタン３３と、表データを入力するときのテーブルボタン３４と、Ｗｅｂページを確認するための本番サーバ確認ボタン３５と、Ｗｅｂページ構成情報を公開サーバ１５の記憶部１７にコピーするための本番サーバ同期ボタン３６から構成される。
【００４６】
ユーザは、ユーザ端末１４の表示画面に行列ファイル２０を表示し、タイトルとテンプレートモジュール名を入力する。
【００４７】
図５は、画像ファイルを管理サーバ１０にアップロードするときの入力画面である。画像ファイルをアップロードするときは、ユーザは、アップロードする画像ファイルを入力ボックス３１にドロップする。それにより、画像ファイルは管理サーバ１０にアップロードされ、それとともに、ユーザ端末１４の表示画面に開いている行列ファイル２０にアップロードされた画像ファイルと画像特定コマンドが入力され、入力画面に表示された表３７にアップロードされた画像と画像特定コマンドがリンク先に表示される。
【００４８】
図６は、表データファイルを管理サーバ１０にアップロードするときの入力画面である。表データファイルをアップロードするときは、ユーザは、アップロードする表データファイルを入力ボックス３１にドロップする。それにより、表データファイルは管理サーバ１０にアップロードされ、それとともに、ユーザ端末１４の表示画面に開いている行列ファイル２０にアップロードされた表データファイルと表特定コマンドが入力され、入力画面に表示された表３８にアップロードされた表と表特定コマンドがリンク先に表示される。
【００４９】
図７は、行列ファイルを管理サーバ１０にアップロードするときの入力画面である。行列ファイルをアップロードするときは、ユーザは、アップロードする行列ファイルを入力ボックス３１にドロップする。それにより、行列ファイルは管理サーバ１０にアップロードされ、それとともに、入力画面に表示された表３９にアップロードされた行列ファイル名が管理サーバに表示され、日付、編集者、修正内容が表示される。
【００５０】
ユーザは、本番サーバ確認ボタン３５をクリックすることによりＷｅｂページを確認することができる。また、本番サーバ同期ボタンをクリックすることによりＷｅｂページ構成情報を公開サーバ１５の記憶部１７にコピーすることができる。
【００５１】
上記のようにして、ユーザは簡単に行列ファイルを作成することができ、それにより、Ｗｅｂページ構成情報を作成することができる。
【００５２】
＜実施形態の構成及び効果＞
管理サーバ１０は、画像ファイル、及び、行と列のそれぞれのセルに複数のデータが入力されている行列ファイル２０がアップロードされた場合にそれらを記憶する記憶部１１と、アップロードされた画像ファイルを特定する画像特定コマンドを、表示する表示部１２と、を有し、行列ファイル２０の少なくとも１つのセルに、画像特定コマンドが入力されていた場合に、画像ファイルの画像をＷｅｂページの所定の場所に表示するためのＷｅｂページ構成情報を作成する。
このような構成を有することから、単一の形式の行列ファイルを用いた簡易な構造の入力形式でＷｅｂページ構成情報を作成することができるという効果がある。
【００５３】
＜定義等＞
【００５４】
本発明における管理サーバは、Ｗｅｂページを電子的に作成できるものであればどのようなものであってもよく、ユーザが現に使用しているコンピュータであってもよい。
また、本発明における管理サーバは、公開サーバを有するときには、インターネット上から自由にアクセス可能ではないサーバをいうが、公開サーバを有しない場合には、インターネット上から自由にアクセス可能なサーバであってよい。
本発明におけるアップロードは、データを所定の記憶部に記憶させることができるものであればどのようなものであってもよく、ユーザが現に使用しているコンピュータの記憶部（例えば、ハードディスク、インターネット上のサーバ、ＳＳＤ、フラッシュメモリ等）に記憶させることであってもよい。
【００５５】
以上の実施形態で説明された構成、形状、大きさおよび配置関係については本発明が理解・実施できる程度に概略的に示したものにすぎず、また数値および各構成の組成（材質）等については例示にすぎない。従って本発明は、説明された実施形態に限定されるものではなく、特許請求の範囲に示される技術的思想の範囲を逸脱しない限り様々な形態に変更することができる。
【産業上の利用可能性】
【００５６】
本発明の管理サーバは、Ｗｅｂページ構成情報を作成する管理サーバとして利用することができる。
【符号の説明】
【００５７】
１０      管理サーバ
１１      記憶部
１２      表示部
１３      Ｗｅｂページ構成情報作成部
１４      ユーザ端末
１５      公開サーバ
１６      ネットワーク
１７      記憶部
１８      処理部
２０      行列ファイル
【図１】
2017010282.tif 000003
【図２】
2017010282.tif 000004
【図３】
2017010282.tif 000005
【図４】
2017010282.tif 000006
【図５】
2017010282.tif 000007
【図６】
2017010282.tif 000008
【図７】
2017010282.tif 000009
【手続補正書】
【提出日】平成28年9月23日(2016.9.23)
【手続補正１】
【補正対象書類名】特許請求の範囲
【補正対象項目名】全文
【補正方法】変更
【補正の内容】
【特許請求の範囲】
【請求項１】
画像ファイル、及び、行と列のそれぞれのセルに複数のデータが入力されている行列ファイルがアップロードされた場合にそれらを記憶する記憶部と、
アップロードされた画像ファイルを特定する画像特定コマンドを、表示する表示部と、
を有し、
前記行列ファイルの少なくとも１つのセルに、前記画像特定コマンドが入力されていた場合に、
画像ファイルの画像をＷｅｂページの所定の場所に表示するためのＷｅｂページ構成情報を作成し、
前記画像ファイルの画像及び前記文字データの内容の表示である画像文字表示が表示されるＷｅｂページ内の位置は、前記記憶部が事前に記憶しており、
前記画像文字表示のレイアウトの複数のバリエーションは、前記記憶部が事前に記憶しており、
前記行列ファイルは、前記画像文字表示のセルと同一の行又は列内に、前記画像文字表示の表示形式を所定の複数の形式の中から選択する形式指定データを記載するための形式指定セルを有し、
前記形式指定セルに、前記形式指定データの指定に応じて、選択された形式で前記画像文字表示を行うためのＷｅｂページ構成情報を作成する
管理サーバ。
【請求項２】
前記画像特定コマンドが入力されている前記行列ファイルのセル内に、前記画像特定コマンドの他に文字データも入力されていた場合に、
前記Ｗｅｂページに、アップロードされている前記画像ファイルの画像に加え前記文字データの内容を所定の位置に表示するためのＷｅｂページ構成情報を作成する
請求項１に記載の管理サーバ。
【請求項３】
前記記憶部は、表計算ソフトによって作成された表形式の表データがアップロードされた場合にそれを記憶し、
前記表示部は、アップロードされた表ファイルを特定する表特定コマンドを表示し、
前記行列ファイルの少なくとも１つのセルに、前記表特定コマンドが入力されていた場合に、
表データの表示をＷｅｂページの所定の場所に表示するためのＷｅｂページ構成情報を作成する
請求項１〜２いずれか１項に記載の管理サーバ。
【請求項４】
前記管理サーバとは別に、インターネット上からアクセス可能な公開サーバを有し、
前記管理サーバは、ユーザから所定の入力があった場合に前記管理サーバのＷｅｂページ構成情報を、前記公開サーバの記憶部にコピーする
請求項１〜３に記載の管理サーバ。